(57)【要約】【課題】熱回収効率を向上させることを目的とする。【解決手段】熱輸送体１としてカーボンナノチューブ１４を用い、カーボンナノチューブ１４の表面にコーティング層１９を設けることにより、カーボンナノチューブ１４のバンドル化を防いで熱回収効率の低下を防止すると同時に、耐熱性，耐環境性を向上させながら、高比表面積，高熱伝導性を有するカーボンナノチューブ１４により熱回収効率を向上させることができる。【選択図】図２
2015045464.tif 000002
【特許請求の範囲】
【請求項１】
排気ガスの熱の吸収を行う熱輸送体であって、
カーボンナノチューブと、
前記カーボンナノチューブの表面に設けられて無機物からなるコーティング層と
を有し、前記無機物は、Ｔｉ，Ｃｕ，Ｃｒ，Ｆｅ，Ｃｏ，Ｎｉ，Ｚｎ，Ａｕ，Ａｇ，Ｓｉの単体，酸化物，炭化物，窒化物、あるいはこれらのうち２種以上を含む化合物であることを特徴とする熱輸送体。
【請求項２】
前記コーティング層は、さらに前記無機物の非結晶体が積層された構造であることを特徴とする請求項１記載の熱輸送体。
【請求項３】
前記カーボンナノチューブの表面に担持された清浄化ナノ粒子をさらに有し、
前記清浄化ナノ粒子は、ゼオライト，活性炭，ソーダ灰、またはＦｅ，Ｎｉ，Ｃｏ，Ｔｉ，Ｗ，Ｍｏ，Ｖ，Ｒｕ，Ａｇ，Ａｕ，Ｐｔ，Ｉｒ，Ｚｎ，Ｋ，ＣａＢａの単体，酸化物，炭化物、あるいはこれらのうちの２種以上を含む化合物であることを特徴とする請求項１または請求項２のいずれかに記載の熱輸送体。
【請求項４】
外部から排気ガスを導入して請求項１〜請求項３のいずれか１項に記載の熱輸送体と前記排気ガスを混合した混合ガスを流動させるライザーと、
前記混合ガスを前記排気ガスと前記熱輸送体とに分離する固気分離部と、
分離された前記排気ガスを排出する排出口と、
前記混合ガスまたは／および前記熱輸送体から熱を回収して外部に導出する熱交換器と、
前記熱輸送体を前記ライザーに循環させるダウンカマーと
を有することを特徴とする流動層熱回収装置。
【請求項５】
前記固気分離部は、前記ライザー側入り口から前記排出口側出口，前記ダウンカマー側出口，前記ライザー側入り口の順に回転し、前記ライザー側入り口から前記排出口側出口までの間は帯電し、前記ダウンカマー側出口を通過中には無帯電となる回転フィンを備え、
帯電中に前記混合ガスから前記熱輸送体を前記回転フィンに吸着させ、前記回転フィンを無帯電状態にすることにより前記ダウンカマー側出口近傍を通過中に前記熱輸送体を前記回転フィンから開放し、前記熱輸送体を前記ダウンカマーに回収することを特徴とする請求項４記載の流動層熱回収装置。
【請求項６】
前記熱交換器が前記ライザーの外壁または／および前記ダウンカマーの外壁に設けられることを特徴とする請求項４または請求項５のいずれかに記載の流動層熱回収装置。
【発明の詳細な説明】
【技術分野】
【０００１】
気体から熱回収を行う流動層熱回収装置およびこれに用いる熱輸送体に関する。
【背景技術】
【０００２】
エンジン等の各種熱機関や焼却施設等の機器から、高温の排気ガスが排出される。そのため、これらの機器では、熱回収装置により、排気ガスから熱を回収する場合がある。
従来の流動層熱回収装置は、熱輸送体が流動するライザーと、排気ガスと熱輸送体とを分離する固気分離部と、分離後の熱輸送体をライザーに還流させるダウンカマーとを備える。このような流動層熱回収装置において、まず、高温の排気ガスがライザーに導入され、熱輸送体と排気ガスとが混ざり合って固気分離部まで流動する。この時、ライザーにおいて、排気ガスの熱が熱輸送体に吸収される。同時に、排気ガスに含まれる不純物を無害化する流動層熱回収装置もある。その後、熱を吸収した熱輸送体および排気ガスは固気分離部まで流動し、遠心分離等により気体の排気ガスと固体の熱輸送体に分離される。分離された排気ガスは低温化された状態で外部に排出される。また、熱輸送体はダウンカマーにより、再びライザーに戻され、上記循環が繰り返される。
【０００３】
ここで、従来、熱輸送体として、活性炭や生石灰，酸化鉄等の粒子が用いられていた（例えば、特許文献１参照）。
【先行技術文献】
【特許文献】
【０００４】
【特許文献１】特開２００８−２７５２９０号公報
【発明の概要】
【発明が解決しようとする課題】
【０００５】
しかしながら、従来の熱輸送体として用いられる活性炭や生石灰，酸化鉄等の粒子は一般的に熱伝導率が高くなく、高効率の熱回収が求められる昨今の流動層熱回収装置においては、十分な熱回収が図れないという問題点があった。
【０００６】
上記問題点を解決するために、本発明は、熱回収効率を向上させることを目的とする。
【課題を解決するための手段】
【０００７】
上記目的を達成するために、本発明の熱輸送体は、排気ガスの熱の吸収を行う熱輸送体であって、カーボンナノチューブと、前記カーボンナノチューブの表面に設けられて無機物からなるコーティング層とを有し、前記無機物は、Ｔｉ，Ｃｕ，Ｃｒ，Ｆｅ，Ｃｏ，Ｎｉ，Ｚｎ，Ａｕ，Ａｇ，Ｓｉの単体，酸化物，炭化物，窒化物、あるいはこれらのうち２種以上を含む化合物であることを特徴とする。
【０００８】
また、前記コーティング層は、さらに前記無機物の非結晶体が積層された構造であっても良い。
また、前記カーボンナノチューブの表面に担持された清浄化ナノ粒子をさらに有し、前記清浄化ナノ粒子は、ゼオライト，活性炭，ソーダ灰、またはＦｅ，Ｎｉ，Ｃｏ，Ｔｉ，Ｗ，Ｍｏ，Ｖ，Ｒｕ，Ａｇ，Ａｕ，Ｐｔ，Ｉｒ，Ｚｎ，Ｋ，ＣａＢａの単体，酸化物，炭化物、あるいはこれらのうちの２種以上を含む化合物であることが好ましい。
【０００９】
さらに、流動層熱回収装置は、外部から排気ガスを導入して前記熱輸送体と前記排気ガスを混合した混合ガスを流動させるライザーと、前記混合ガスを前記排気ガスと前記熱輸送体とに分離する固気分離部と、分離された前記排気ガスを排出する排出口と、前記混合ガスまたは／および前記熱輸送体から熱を回収して外部に導出する熱交換器と、前記熱輸送体を前記ライザーに循環させるダウンカマーとを有することを特徴とする。
【００１０】
また、前記固気分離部は、前記ライザー側入り口から前記排出口側出口，前記ダウンカマー側出口，前記ライザー側入り口の順に回転し、前記ライザー側入り口から前記排出口側出口までの間は帯電し、前記ダウンカマー側出口を通過中には無帯電となる回転フィンを備え、帯電中に前記混合ガスから前記熱輸送体を前記回転フィンに吸着させ、前記回転フィンを無帯電状態にすることにより前記ダウンカマー側出口近傍を通過中に前記熱輸送体を前記回転フィンから開放し、前記熱輸送体を前記ダウンカマーに回収することが好ましい。
【００１１】
また、前記熱交換器が前記ライザーの外壁または／および前記ダウンカマーの外壁に設けられることが好ましい。
【発明の効果】
【００１２】
以上のように、熱輸送体としてカーボンナノチューブを用い、カーボンナノチューブの表面にコーティング層を設けることにより、カーボンナノチューブのバンドル化を防いで熱回収効率の低下を防止すると同時に、耐熱性，耐環境性を向上させながら、高比表面積，高熱伝導性を有するカーボンナノチューブにより熱回収効率を向上させることができる。
【図面の簡単な説明】
【００１３】
【図１】本発明の流動層熱回収装置の構成を示す概略図
【図２】本発明の熱輸送体の構成を例示する概略斜視図
【図３】本発明の静電分離による固気分離部の構成を説明する概略図
【発明を実施するための形態】
【００１４】
（実施の形態１）
まず、図１〜図３を用いて、実施の形態１における流動層熱回収装置およびこれに用いる熱輸送体について説明する。
【００１５】
図１は本発明の流動層熱回収装置の構成を示す概略図、図２は本発明の熱輸送体の構成を例示する概略斜視図、図３は本発明の静電分離による固気分離部の構成を説明する概略図である。
【００１６】
図１に示すように、本発明の流動層熱回収装置３は、熱輸送体１が流動するライザー４と、排気ガス５と熱輸送体１とを分離する固気分離部６と、分離後の熱輸送体１をライザー４に還流させるダウンカマー７とを備える。エンジン等の各種熱機関や焼却施設等の機器９からは、高温の排気ガス５が排出される。本発明の流動層熱回収装置３は、機器９から排出される高温の排気ガス５から熱を回収するものである。以下、詳細に説明する。
【００１７】
ライザー４にはあらかじめ熱輸送体１が収容されており、ガス注入口８から排気ガス５が導入されると、排気ガス５と熱輸送体１とが混ざり合って混合ガス１０となり、ライザー４内を流動する。この時、熱輸送体１は排気ガス５の熱を吸収する。つまり、熱輸送体１は排気ガス５の熱を回収して低温化させる。その後、ライザー４を流動した排気ガス５と熱輸送体１との混合ガス１０は、パイプ１１を通って固気分離部６に流入する。固気分離部６は、混合ガス１０を排気ガス５と熱輸送体１とに分離し、排気ガス５を排出口である煙突１２から排出し、熱輸送体１をダウンカマー７に排出する。ダウンカマー７では、熱交換器１３によって熱輸送体１の熱を吸収し、吸収した熱を回収して外部機器（図示せず）に熱を利用させている。また、ダウンカマー７は、熱が吸収されて低温化された熱輸送体１をパイプ１５を介してライザー４に循環させて、再び排気ガス５と混合させている。
【００１８】
ここで、本発明においては、熱輸送体１としてカーボンナノチューブ１４を用いる。また、図２（ａ）に示すように、本発明の熱輸送体１として用いるカーボンナノチューブ１４の表面に、無機物からなるコーティング層１９を設けることを特徴とする。
【００１９】
カーボンナノチューブは一般的に熱輸送体として用いられる活性炭や生石灰，酸化鉄よりも熱伝導性が高く、さらに高比表面積であるので、効率的に熱吸収および熱輸送を行うことができる。
【００２０】
また、カーボンナノチューブ１４の表面をコーティングすることにより、カーボンナノチューブ１４の耐熱性が向上し、周辺雰囲気によるカーボンナノチューブ１４の変質を抑制することができる。カーボンナノチューブ１４は、上述のように熱伝導性が高く、効率的に熱吸収および熱輸送を行うことができるが、耐熱性が低く、また変質もしやすいため、高温の排気ガス５に用いる熱輸送体には適さなかった。しかし、カーボンナノチューブ１４の表面をコーティングすることにより、耐熱性および耐環境性が向上し、高温の排気ガス５に対しても、効率的に熱吸収および熱輸送を行う熱輸送体１とすることができる。この時、カーボンナノチューブ１４より熱伝導率の低いコーティング層１９を用いるが、カーボンナノチューブ１４中の熱移動は、従来の熱輸送体に比べて効率的であるので、全体としては熱回収効率を向上させることができる。さらに、熱輸送体１のカーボンナノチューブ１４が流動中に互いに接触してバンドル化する場合がある。カーボンナノチューブ１４の表面をコーティングすることにより、熱輸送体１が接触しても熱輸送体１がバンドル化することを抑制することができる。
【００２１】
コーティング層１９に用いる無機物としては、Ｓｉ，ＳｉＣあるいはＳｉＯ２等を用いることができる。他にも、Ｔｉ，Ｃｕ，Ｃｒ，Ｆｅ，Ｃｏ，Ｎｉ，Ｚｎ，Ａｕ，Ａｇ，Ｓｉの単体，酸化物，炭化物，窒化物、あるいはこれらのうち２種以上を含む化合物を用いることもできる。
【００２２】
なお、コーティング層１９の膜厚は、薄すぎると熱によるカーボンナノチューブ１４の破壊，燃焼や周辺雰囲気によるカーボンナノチューブ１４の変質を抑制することができない。例えば、４００℃以上の酸素雰囲気での使用に耐えられず、耐熱性や耐環境性の向上が図れない。同時に、膜厚が厚すぎると、カーボンナノチューブ１４の柔軟性が低下し、流動中の熱輸送体１により配管がエロージョン等により破損する場合がある。また、表面からの熱移動の低効率化が顕著となり、全体として熱回収効率の向上が図れない。そのため、コーティング層１９の膜厚は５ｎｍ以上５０ｎｍ以下にすることが好ましい。
【００２３】
また、コーディング層１９は、カーボンナノチューブ１４の外表面全面に緻密に設けることが好ましい。カーボンナノチューブ１４の根元から先端までコーティングすることにより、カーボンナノチューブ１４が露出する領域がなくなり、耐熱性や耐環境性，耐バンドル性がより向上する。なお、図では、カーボンナノチューブ１４の内表面にもコーティングを施しているが、外部環境や他の熱輸送体１と接触する機会が少ないので、内表面は全面をコーティングするには及ばない。
【００２４】
また、耐熱性や強靭性を向上させるために、コーティング層１９の上記無機物は結晶構造とすることが好ましい。
また、コーティング層１９として、上記無機物の結晶構造上に、アモルファスＳｉ等の上記無機物の非結晶体を積層する構造としても良い。最外層としてアモルファスＳｉ等の非結晶体を設けることにより、アモルファスＳｉ等の非結晶体の表面には凹凸が形成されるので、排気ガス５との接触面積がさらに大きくなり熱吸収性がさらに向上する。なお、カーボンナノチューブ１４の表面に直接アモルファスＳｉ層をコーティングすると、アモルファス構造の欠陥からカーボンナノチューブ１４が露出し、耐熱性や耐環境性が低下するため、カーボンナノチューブ１４の表面に直接アモルファスＳｉ層をコーティングすることは好ましくない。
【００２５】
次に、コーティング層１９のコーティング方法について説明する。
ＳｉＣの場合、カーボンナノチューブ１４を真空状態の耐熱炉中に導入した後、耐熱炉にＳｉを導入して、例えば１０００℃〜１４００℃程度に加熱することによりＳｉを昇華させ、カーボンナノチューブ１４のＣ原子と反応させる。このようにして、カーボンナノチューブ１４の表面にＳｉとＣとを還元反応させてＳｉＣのコーティング層１９を形成する。
【００２６】
Ｓｉの場合、カーボンナノチューブ１４を真空状態の耐熱炉中に導入した後、耐熱炉にＳｉを導入して、上記ＳｉＣの場合と同じ要領でＳｉを昇華させ、ＳｉＣの形成後、さらにＳｉを導入して例えば１０００℃〜１４００℃程度に加熱することでＳｉ原子のみをＳｉＣの表面に堆積させてＳｉのコーティング層１９を形成する。
【００２７】
ＳｉＯ２の場合、上記Ｓｉコーティングしたカーボンナノチューブを、さらに酸素雰囲気中で、例えば１０００℃程度に加熱することにより、ＳｉとＯ原子とを反応させてＳｉＯ２を作成し、カーボンナノチューブ１４のＳｉ層表面にＳｉＯ２のコーティング層１９を形成する。
【００２８】
なお、上記Ｓｉ、ＳｉＯ２の加熱温度では、非結晶体（アモルファスＳｉ、ＳｉＯ２）を含む状態であり、これらのコーティング層１９を結晶化させる際には、例えば１３００〜１４００℃（ＳｉＯ２は１６００℃）でさらに加熱を行う。
【００２９】
その他の無機物のコーティング方法についても、同様に、カーボンナノチューブ１４を真空状態の耐熱炉中に導入した後、耐熱炉にコーティング材料を導入し、昇華又は蒸発させることでコーティング層１９が形成できる。また、昇華又は蒸発を酸化物雰囲気，窒化物雰囲気下で行うことで、コーティング材料の酸化物、窒化物が形成でき、カーボンナノチューブ１４のＣ原子と反応させれば、コーティング材料の炭化物が形成できる。
【００３０】
ここで、カーボンナノチューブ１４は、強度が不足すると流動中に破断する可能性があるため、カーボンナノチューブ１４は、２層以上のカーボンナノチューブで、本発明では、使用する多層カーボンナノチューブは、３層以上であることが望ましい。その場合、少なくともその直径は５ｎｍ以上とすることが好ましい。同時に、カーボンナノチューブ１４は、柔軟性を確保して破断や装置の破損を防止すると共に、熱交換性能を高めるために比表面積を高くすることが好ましい。そのため、カーボンナノチューブ１４の直径は３００ｎｍ以下とすることが好ましい。また、カーボンナノチューブ１４が長いと、流動中に他のカーボンナノチューブ１４と頻繁に衝突し、カーボンナノチューブ１４同士が絡み合って熱吸収性能が低下すると共に、カーボンナノチューブ１４がバンドル化して大きくなり、流動層熱回収装置で目詰まりを起こし易くなる。そのため、カーボンナノチューブ１４の長さは５００μｍ以下とすることが好ましい。
【００３１】
上記流動層熱回収装置３では、ダウンカマー７に熱交換器１３を設ける例について説明したが、さらに、ライザー４やパイプ１１に熱交換器１６を設けても良い。また、ダウンカマー７，ライザー４，パイプ１１等のいずれか、またはこれらの場所を組み合わせて熱交換器１３，１６を設けても良い。例えば、熱交換器１３，１６は、ダウンカマー７またはライザー４の外壁に沿って、コイル状に設けられる熱交換パイプであり、熱交換パイプの中を冷却液等の熱媒体が流通する構造とすることができる。熱媒体が熱交換パイプ内を通過する際に、ダウンカマー７またはライザー４，パイプ１１の外壁を介して、混合ガス１０あるいは分離後の熱輸送体１と熱媒体との間で熱交換を行い、混合ガス１０あるいは分離後の熱輸送体１を冷却すると共に、熱媒体に熱を回収する。熱媒体に回収された熱を外部機器に導通させ、外部機器で回収した熱を利用する。また、ダウンカマー７，ライザー４，パイプ１１等の内部の混合ガス１０や熱輸送体１の流動領域が十分確保されている場合は、熱交換パイプをダウンカマー７，ライザー４，パイプ１１等の内部に設けてもよい。この場合、混合ガス１０や熱輸送体１と熱交換パイプとが直接接し、かつ接する面積が増大するので、熱移動が効率的に行われ、熱交換効率がより向上する。
【００３２】
また、固気分離部６は、排気ガス５と熱輸送体１との比重差を利用して遠心分離により行っても良いが、静電分離を行っても良い。静電分離を行った場合は、遠心分離の場合に比べて、熱輸送体１が小さい場合にも容易に分離できるため好ましい。
【００３３】
静電分離方式の固気分離部６は、図３に示すように、帯電状態および無帯電状態に制御できる回転フィン１７を備える。ライザー４側の入り口から導入される混合ガス１０は固気分離部６に導入されると回転中の回転フィン１７に接触する。この時、回転フィン１７は混合ガス１０と接する前（位置Ａ）から混合ガスと接する位置（位置Ｂ）においては帯電され、煙突１２側の出口の近傍（位置Ｃ）を越える位置まで回転されると帯電状態を解除し、ダウンカマー７側の出口の近傍（位置Ｄ）でも無帯電状態を維持する。このように、回転フィン１７の回転位置によって帯電状態および無帯電状態を制御することにより、カーボンナノチューブ１４は導電性を有するので、位置Ｂにおいて混合ガス１０と接触すると熱輸送体１を回転フィン１７に吸着し、位置Ｃにおいても帯電状態を維持することにより、熱輸送体１を回転フィン１７に吸着したまま排気ガス５のみを煙突１２から排出し、位置Ｄにおいては帯電状態を解除することにより回転フィン１７から熱輸送体１を開放して熱輸送体１のみをダウンカマー７に排出する。以上のように、回転する回転フィン１７の帯電状態および無帯電状態を制御することにより、排気ガス５を排出する煙突１２側の出口の近傍では回転フィン１７を帯電して排気ガス５のみを排出し、ダウンカマー７側の出口の近傍では帯電しないことにより、熱輸送体１を放出してダウンカマー７から排出させる。なお、静電分離による、熱輸送体１と排気ガス５との分離をより確実に行うため、カーボンナノチューブ１４に鉄や強磁性体金属（例えば、Ｆｅ、Ｃｏ、Ｎｉ）等の金属粒子をさらに担持させておいても良い。なお、遠心分離により熱輸送体１と排気ガス５とを分離する場合は、カーボンナノチューブ１４よりも比重の大きい粒子を担持させておいても良い。
（実施の形態２）
次に、図１，図２を用いて実施の形態２における熱輸送体の構成について説明する。
【００３４】
実施の形態２における熱輸送体は、実施の形態１における流動層熱回収装置に用いる熱輸送体に対して、カーボンナノチューブの表面に排気ガスを清浄化するための清浄化ナノ粒子２を担持することを特徴とする。なお、清浄化粒子は球状の形状に限らず、円柱状、扁平状形状等であってもよい。
【００３５】
図２（ｂ）に示すように、本実施の形態の熱輸送体１８は、実施の形態１で示すコーティング層１９がコーティングされたカーボンナノチューブ１４のコーティング層１９の表面に清浄化ナノ粒子２を担持する。このように、高熱吸収および高熱輸送率のカーボンナノチューブ１４のコーティング層１９表面に清浄化機能を有する清浄化ナノ粒子２を担持することにより、熱輸送体１８は排気ガス中に含まれるＮＯｘやＳＯｘ等の有害物質を無害化する清浄化を行いながら、熱回収効率を向上させることができる。また、カーボンナノチューブ１４がコーティングされているため、清浄化ナノ粒子２の担持性能も向上し、清浄化ナノ粒子２がカーボンナノチューブ１４から脱落、またはカーボンナノチューブ１４上で清浄化ナノ粒子２が熱凝集することを抑制することができる。また、清浄化ナノ粒子２がカーボンナノチューブ１４に担持されているので、カーボンナノチューブ１４と同時に清浄化ナノ粒子２を静電分離することができる。
【００３６】
各種機器９から排出される排気ガス５には不純物が含まれているものが有り、流動層熱回収装置３において、熱回収と共に、有害物質の無害化を行うものもある。
本実施の形態の流動層熱回収装置３においては、実施の形態１における熱輸送体１にかわり、上記のような清浄化ナノ粒子２が担持された熱輸送体１８を用い、次のように排気ガス５の処理を行う。すなわち、ライザー４にはあらかじめ熱輸送体１８が収容されており、ガス注入口８から排気ガス５が導入されると、排気ガス５と熱輸送体１８とが混ざり合って混合ガス１０となり、ライザー４内を流動する。この時、熱輸送体１８は排気ガス５の熱を吸収すると共に、排気ガス５に含まれる有害物質を無害化する。つまり、熱輸送体１８は排気ガス５を脱硫，脱硝等して清浄化しながら、排気ガス５の熱を回収して低温化させる。その後、ライザー４を流動した排気ガス５と熱輸送体１８との混合ガス１０は、パイプ１１を通って固気分離部６に流入する。固気分離部６は、混合ガス１０を排気ガス５と熱輸送体１８とに分離し、排気ガス５を排出口である煙突１２から排出し、熱輸送体１８をダウンカマー７に排出する。また、ダウンカマー７は、熱が吸収されて低温化された熱輸送体１８をパイプ１５を介してライザー４に循環させて、再び排気ガス５と混合させている。
【００３７】
このように、高熱吸収および高熱輸送率のカーボンナノチューブ１４に清浄化機能を有する清浄化ナノ粒子２を担持することにより、熱輸送体１８は清浄化機能を備えると共に、熱回収効率を向上させることができる。
【００３８】
また、清浄化ナノ粒子２をカーボンナノチューブ１４に担持せず、別途混合することも可能であるが、清浄化ナノ粒子２が単体で存在すると、排気ガス５と混合して流動する際に、清浄化ナノ粒子２同士が衝突し、有害物質の無害化効果が低減される場合がある。つまり、清浄化ナノ粒子２同士が凝集して粗大化し、全体の表面積が減少して有害物質の無害化効果が低減される場合がある。さらに、微細な清浄化ナノ粒子２が単独で存在すると、流動の際に、清浄化ナノ粒子２が、パイプ１１や、パイプ１１とライザー４あるいは固気分離部６との接続部分に目詰まりを生じる場合がある。そのため、本発明では、清浄化ナノ粒子２をカーボンナノチューブ１４の表面に担持し、清浄化ナノ粒子２が単独で流動することを防ぐことにより、清浄化ナノ粒子２の清浄化機能の維持と流動層熱回収装置の効力維持を図ることができる。
【００３９】
また、清浄化ナノ粒子２の材質は、脱硫，脱硝等の有害物質に対する触媒機能を有するものであれば良く、例えば、ゼオライト，活性炭，ソーダ灰を用いることができる。あるいは、Ｆｅ，Ｎｉ，Ｃｏ，Ｔｉ，Ｗ，Ｍｏ，Ｖ，Ｒｕ，Ａｇ，Ａｕ，Ｐｔ，Ｉｒ，Ｚｎ，Ｋ，ＣａＢａの単体でも良い。さらに、これらの酸化物，炭化物でも良く、または、これらのうちの２種以上を含む化合物を用いることもできる。また、清浄化ナノ粒子２の粒子径は、カーボンナノチューブ１４に担持されること、および清浄効率を考慮して、３ｎｍ以上１００ｎｍ以下とすることが好ましい。
【符号の説明】
【００４０】
１    熱輸送体
２    清浄化ナノ粒子
３    流動層熱回収装置
４    ライザー
５    排気ガス
６    固気分離部
７    ダウンカマー
８    ガス注入口
９    機器
１０    混合ガス
１１    パイプ
１２    煙突
１３    熱交換器
１４    カーボンナノチューブ
１５    パイプ
１６    熱交換器
１７    回転フィン
１８    熱輸送体
１９    コーティング層
【図１】
2015045464.tif 000003
【図２】
2015045464.tif 000004
【図３】
2015045464.tif 000005